(57)【要約】【課題】  着脱可能な記録媒体へのダビングが中断されても、後日、中断箇所からダビングを継続することが可能な映像再生装置を提供する。【解決手段】  ＤＶＤ等の着脱可能な記録媒体の固有情報と、中断されたダビングの進捗状況を示す情報と、ダビングしていたデータを特定する情報とを対応付けてダビング中断履歴として保存しておく。そして、記録装置から取得した、記録媒体の固有情報がダビング中断履歴に含まれている場合には、対応付けられた情報を用いて、中断されたダビングを再開する。【選択図】  図２
2009141628.tif 000002
【特許請求の範囲】
【請求項１】
映像データを記憶する記憶手段を有し、着脱可能な記録媒体を用いる記録装置に対して前記映像データを送信してダビング可能な映像再生装置であって、
前記記録装置へのダビングが中断された映像データを特定するデータ情報と、当該映像データのうちダビングが終わっている部分を特定する進捗状況情報とを、前記ダビングに用いられていた記録媒体の固有情報と対応付けて保存する保存手段と、
前記記録装置から、装着されている記録媒体の固有情報を取得する取得手段と、
前記取得手段が取得した固有情報と同じ固有情報が前記保存手段に保存されているか否かを判別する判別手段と、
前記判別手段により、前記取得手段が取得した固有情報と同じ固有情報が前記保存手段に保存されていると判別された場合、前記保存手段において、前記取得手段が取得した固有情報に対応付けられたデータ情報及び進捗状況情報とを用いて、前記中断されたダビングを再開させる制御手段とを有することを特徴とする映像再生装置。
【請求項２】
前記保存手段は、ダビングが中断されると、前記中断されたダビングに関する前記データ情報と前記進捗状況情報とを、前記中断されたダビングに用いられていた記録媒体の固有情報と対応付けて保存することを特徴とする請求項１記載の映像再生装置。
【請求項３】
前記記録媒体の固有情報は書換え不能であり、前記記録媒体に予め記録された情報であることを特徴とする請求項１記載の映像再生装置。
【請求項４】
前記取得手段が前記固有情報を取得できない場合、前記制御手段は、前記映像再生装置又は前記記録装置の固有情報を用い、前記記録媒体ごとに異なる代替固有情報を生成し、前記代替固有情報を前記固有情報を取得できない記録媒体のボリュームラベルとして前記記録媒体に記録するよう、前記記録装置に指示することを特徴とする請求項１乃至請求項３のいずれかに記載の映像再生装置。
【請求項５】
前記取得手段は、前記固有情報を取得できない場合、前記固有情報としてボリュームラベルを取得することを特徴とする請求項４記載の映像再生装置。
【請求項６】
映像データを記憶する記憶手段を有し、着脱可能な記録媒体を用いる記録装置に対して前記映像データを送信してダビング可能であり、
前記記録装置へのダビングが中断された映像データを特定するデータ情報と、当該映像データのうちダビングが終わっている部分を特定する進捗状況情報とを、前記ダビングに用いられていた記録媒体の固有情報と対応付けて保存する保存手段を有する映像再生装置の制御方法であって、
前記記録装置から、装着されている記録媒体の固有情報を取得する取得ステップと、
前記取得ステップにより取得された固有情報と同じ固有情報が前記保存手段に保存されているか否かを判別する判別ステップと、
前記判別ステップにより、前記取得ステップで取得された固有情報と同じ固有情報が前記保存手段に保存されていると判別された場合、前記保存手段において、前記取得ステップで取得された固有情報に対応付けられたデータ情報及び進捗状況情報とを用いて、前記中断されたダビングを再開させる制御ステップとを有することを特徴とする映像再生装置の制御方法。
【請求項７】
第１の記録媒体から映像データを再生する再生手段と、
装着された第２の記録媒体に対して映像データを記録する記録装置に対し、前記再生手段により再生された映像データを送信する通信手段と、
前記記録装置に装着された第２の記録媒体の固有情報を取得する取得手段と、
前記第１の記録媒体に記録された映像データのうち指定された映像データを前記再生手段により再生して前記通信手段により前記記録装置に送信し、前記第２の記録媒体に対して記録するダビング処理中に、前記ダビング処理の中断が指示されたことに応じて、前記再生手段による前記指定された映像データの再生を停止して前記ダビング処理を停止する制御手段と、
前記ダビング処理の中断の指示に応じて、前記指定された映像データのうちダビング処理中に再生を停止した位置を特定するデータ情報と、前記ダビング処理において前記記録装置に装着されていた第２の記録媒体の固有情報とを対応付けて保存する保存手段と、
前記取得手段が取得した固有情報と同じ固有情報が前記保存手段に保存されているか否かを判別する判別手段とを備え、
前記制御手段は、前記取得手段が取得した固有情報と同じ固有情報が前記保存手段に保存されていると判別された場合、前記保存手段において、前記取得手段が取得した固有情報に対応付けられたデータ情報を用いて前記停止されたダビング処理を再開させることを特徴とする映像再生装置。
【請求項８】
第１の記録媒体から映像データを再生する再生手段と、
第２の記録媒体に対して映像データを記録する記録装置に対し、前記再生手段により再生された映像データを送信する通信手段と、
前記記録装置の固有情報を取得する取得手段と、
前記第１の記録媒体に記録された映像データのうち指定された映像データを前記再生手段により再生して前記通信手段により前記記録装置に送信し、前記第２の記録媒体に対して記録するダビング処理中に、前記ダビング処理の中断が指示されたことに応じて、前記再生手段による前記指定された映像データの再生を停止して前記ダビング処理を停止する制御手段と、
前記ダビング処理の中断の指示に応じて、前記指定された映像データのうちダビング処理中に再生を停止した位置を特定するデータ情報と、前記記録装置の固有情報とを対応付けて保存する保存手段と、
前記取得手段が取得した固有情報と同じ固有情報が前記保存手段に保存されているか否かを判別する判別手段とを備え、
前記制御手段は、前記取得手段が取得した固有情報と同じ固有情報が前記保存手段に保存されていると判別された場合、前記保存手段において、前記取得手段が取得した固有情報に対応付けられたデータ情報を用いて前記停止されたダビング処理を再開させることを特徴とする映像再生装置。
【請求項９】
前記取得手段は、前記通信手段を介して前記記録装置から送信された固有情報を取得することを特徴とする請求項７または８記載の映像再生装置。
【発明の詳細な説明】
【技術分野】
【０００１】
本発明は映像再生装置及びその制御方法に関し、特には着脱可能な記録媒体へのダビングが可能な映像再生装置及びその制御方法に関する。
【背景技術】
【０００２】
従来、ビデオカメラの記録媒体は磁気テープが主流であったが、光ディスク、磁気ディスク、半導体メモリなど、ランダムアクセス可能な記録媒体を用いるビデオカメラが普及しはじめている。
【０００３】
記憶媒体の記録密度向上や低価格化により、ランダムアクセス可能な記憶媒体も比較的大容量となってきてはいる。しかし、その容量は有限であり、記録残容量が無くなった場合には、記録した映像データを削除して容量を確保する必要がある。映像データを残しておきたい場合には、記録した映像をパーソナルコンピュータやＤＶＤライター等の外部機器に転送し、保存用の別媒体に記録するバックアップするための、いわゆるダビング作業が不可欠である。
【０００４】
しかし、大容量のデータをダビングするにはデータの変換や転送などに時間がかかり、ダビングが終了するまでの待ち時間が長いという問題がある。
【０００５】
このような課題に対して、電源オフ操作がなされても、電源電圧もしくは電源電流値が規定値以上であれば、バックグラウンドでダビング作業を継続して行うダビングシステムが提案がなされている（例えば、特許文献１参照）。
【０００６】
【特許文献１】特開２００３−２４９００８号公報（実施の形態２）
【発明の開示】
【発明が解決しようとする課題】
【０００７】
しかしながら、特許文献１の発明においては、ユーザはダビング作業中にビデオカメラを携帯することができないため、急な撮影シーンが発生した場合は、ダビングを中止しなければならない。しかし、中止したダビングを再開するための方法は提案されておらず、特にＤＶＤ−Ｒなどのライトワンス記録媒体にダビングしていた場合には、記録媒体が無駄になってしまうという問題があった。また、書換え可能な記録媒体へダビングしていても、一旦記録媒体を消去し、最初からやり直す必要があった。
【０００８】
そこで、本発明は、着脱可能な記録媒体へのダビングが中断されても、後日、中断箇所からダビングを継続可能な映像再生装置並びにその制御方法を提供することを目的とする。
【課題を解決するための手段】
【０００９】
上述の目的は、映像データを記憶する記憶手段を有し、着脱可能な記録媒体を用いる記録装置に映像データを送信してダビング可能な映像再生装置であって、記録装置へのダビングが中断された映像データを特定するデータ情報と、当映像データのうちダビングが終わっている部分を特定する進捗状況情報とを、ダビングに用いられていた記録媒体の固有情報と対応付けて保存する保存手段と、記録装置から、装着されている記録媒体の固有情報を取得する取得手段と、取得手段が取得した固有情報と同じ固有情報が保存手段に保存されているか否かを判別する判別手段と、判別手段により、取得手段が取得した固有情報と同じ固有情報が保存手段に保存されていると判別された場合、保存手段において、取得手段が取得した固有情報に対応付けられたデータ情報及び進捗状況情報とを用いて、中断されたダビングを再開させる制御手段とを有することを特徴とする映像再生装置によって達成される。
【００１０】
また、上述の目的は、映像データを記憶する記憶手段を有し、着脱可能な記録媒体を用いる記録装置に映像データを送信してダビング可能であり、記録装置へのダビングが中断された映像データを特定するデータ情報と、当映像データのうちダビングが終わっている部分を特定する進捗状況情報とを、ダビングに用いられていた記録媒体の固有情報と対応付けて保存する保存手段を有する映像再生装置の制御方法であって、記録装置から、装着されている記録媒体の固有情報を取得する取得ステップと、取得ステップにより取得された固有情報と同じ固有情報が保存手段に保存されているか否かを判別する判別ステップと、判別ステップにより、取得ステップで取得された固有情報と同じ固有情報が保存手段に保存されていると判別された場合、保存手段において、取得ステップで取得された固有情報に対応付けられたデータ情報及び進捗状況情報とを用いて、中断されたダビングを再開させる制御ステップとを有することを特徴とする映像再生装置の制御方法によっても達成される。
【００１１】
また、上述の目的は、第１の記録媒体から映像データを再生する再生手段と、装着された第２の記録媒体に対して映像データを記録する記録装置に対し、再生手段により再生された映像データを送信する通信手段と、記録装置に装着された第２の記録媒体の固有情報を取得する取得手段と、第１の記録媒体に記録された映像データのうち指定された映像データを再生手段により再生して通信手段により記録装置に送信し、第２の記録媒体に対して記録するダビング処理中に、ダビング処理の中断が指示されたことに応じて、再生手段による指定された映像データ再生を停止してダビング処理を停止する制御手段と、ダビング処理の中断の指示に応じて、指定された映像データのうちダビング処理中に再生を停止した位置を特定するデータ情報と、ダビング処理において記録装置に装着されていた第２の記録媒体の固有情報とを対応付けて保存する保存手段と、取得手段が取得した固有情報と同じ固有情報が保存手段に保存されているか否かを判別する判別手段とを備え、制御手段は、取得手段が取得した固有情報と同じ固有情報が保存手段に保存されていると判別された場合、保存手段において、取得手段が取得した固有情報に対応付けられたデータ情報を用いて停止されたダビング処理を再開させることを特徴とする映像再生装置によっても達成される。
【００１２】
また、上述の目的は、第１の記録媒体から映像データを再生する再生手段と、第２の記録媒体に対して映像データを記録する記録装置に対し、再生手段により再生された映像データを送信する通信手段と、記録装置の固有情報を取得する取得手段と、第１の記録媒体に記録された映像データのうち指定された映像データを再生手段により再生して通信手段により記録装置に送信し、第２の記録媒体に対して記録するダビング処理中に、ダビング処理の中断が指示されたことに応じて、再生手段による指定された映像データ再生を停止してダビング処理を停止する制御手段と、ダビング処理の中断の指示に応じて、指定された映像データのうちダビング処理中に再生を停止した位置を特定するデータ情報と、記録装置の固有情報とを対応付けて保存する保存手段と、取得手段が取得した固有情報と同じ固有情報が保存手段に保存されているか否かを判別する判別手段とを備え、制御手段は、取得手段が取得した固有情報と同じ固有情報が保存手段に保存されていると判別された場合、保存手段において、取得手段が取得した固有情報に対応付けられたデータ情報を用いて停止されたダビング処理を再開させることを特徴とする映像再生装置によっても達成される。
【発明の効果】
【００１３】
このような構成により、本発明の映像再生装置によれば、着脱可能な記録媒体へのダビングが中断されても、後日、中断箇所からダビングを継続することが可能となる。
【発明を実施するための最良の形態】
【００１４】
以下、添付図面を参照して、本発明の好適かつ例示的な実施形態について、詳細に説明する。
（第１の実施形態）
図１は、本発明の第１の実施形態に係る映像再生装置の一例としてのビデオカメラ１と、外部記録装置の一例としてのＤＶＤドライブ２とからなるダビングシステムの構成例を示すブロック図である。
【００１５】
本実施形態において、ビデオカメラ１の記録媒体は第１の記録媒体の一例としてのハードディスクドライブ（Hard Disk Drive:HDD）３である。撮影モードにおいてカメラ７で撮影され、記録する形式に変換された映像データ１７が、記録再生処理部８を経由してＨＤＤ３へ保存される。本実施形態のビデオカメラ１は、第２の記録媒体の一例としての着脱可能な記録媒体に対して映像データを記録する装置であるＤＶＤドライブ２にＨＤＤ３から再生した映像データ１７を転送し、ＤＶＤドライブ２に装着されたＤＶＤにダビング可能である。なお、本明細書において、「映像データ」とは、動画像データのみならず、静止画データ、音声データ等、任意の種類の一つ以上のデータを含むものとする。
【００１６】
また、再生モードにおいて、ＨＤＤ３からＤＶＤ４への映像データのダビングが中断された場合、ＤＶＤドライブ２で使用していた記録媒体（ＤＶＤメディア）４の固有情報も、記録再生処理部８によってＨＤＤ３に保存される。本実施形態において、記録媒体の固有情報はメディアＩＤ１６であり、著作権保護のために、個々のメディアに書換え不能に記録されている。メディアＩＤ１６を使用した著作権保護技術には、CPPM（Content Protection for Prerecorded Media）やCPRM（Contents Protection for Recordable Media）等がある。
【００１７】
なお、記録媒体ごとに記録され、読み出し可能な固有情報であれば、メディアＩＤ以外の情報を用いても良い。また、ＤＶＤドライブ２以外にも、任意の記録媒体に対してＨＤＤ３からの映像データを記録する外部記録装置が使用可能である。例えば、ＨＤ−ＤＶＤメディアやｂｌｕ−ｒａｙメディア等に映像データを記録する装置をＤＶＤドライブ２に代えて使用することが可能である。
【００１８】
記録媒体に記録されている固有情報（本実施形態ではメディアＩＤ１６）は、ダビング中断時に、ダビングに用いられていた記録媒体の固有情報（メディアＩＤ１８）としてＨＤＤ３に保存される。さらに、ダビングが中断された映像データを特定するデータ情報と、当該映像データのうちダビングが終わっている部分を特定する進捗状況情報などのバックアップ情報１９も、メディアＩＤ１８と対応付けられてＨＤＤ３へ保存される。進捗状況情報は、ダビング処理中に再生を停止した位置を特定する情報とも言うことができる。
【００１９】
不図示の操作キー等を通じてビデオカメラ１に入力されるユーザ操作は、システムコントローラＡ ６が受け付け、システムコントローラＡ ６がシステムバスＡ ９を経由して、ビデオカメラ１内部の各ユニットを制御して、ユーザ操作に応じた動作を実現する。
【００２０】
映像データ１７は撮影の度に容量を増し、やがてＨＤＤ３の記録容量に達する。そのため、新たな記録を行うためには、記録済の映像データ１７をＨＤＤ３から消去する必要が生じる。そのため、映像データ１７を保存したければ、別の記録媒体へダビングしなければならない。
【００２１】
本実施形態では、ビデオカメラ１が有するUSB IFＡ ５と、ＤＶＤドライブ２が有するUSB IFＢ １０とをケーブル２０により接続する。そして、ＨＤＤ３に記録された映像データ１７をＤＶＤドライブ２に装着されたＤＶＤメディア４にコピーして、ダビングを行う。
【００２２】
ＤＶＤドライブ２は、ＤＶＤメディア４を収容することができ、システムコントローラＢ １１の制御のもと、USB IFＢ １０から受け取ったデータをＤＶＤメディア４へ記録する。データ記録は、記録再生処理部１４が、映像データ１７に応じたレーザ光をピックアップ１５から出力させ、ＤＶＤメディア４の記録面を照射することにより行われる。また、同時にメカ制御部１３によるＤＶＤメディア４の回転数制御や、ピックアップ１５のトラッキング制御なども行われる。システムコントローラＢ １１は、各部をシステムバスＢ １２を経由して制御する。
【００２３】
図２は、本実施形態のビデオカメラ１における、ダビング作業時の動作を説明するフローチャートである。
この動作は、システムコントローラＡ ６が、予め記憶された制御プログラムを実行してビデオカメラ１の各部を制御することによって実現される。
【００２４】
なお、本実施形態では、ビデオカメラ１とＤＶＤドライブ２とをUSB IFＡ ５及びUSB IFＢ １０とで接続した際、ビデオカメラ１がＵＳＢホストとなり、ＤＶＤドライブ２がＵＳＢスレーブとなる。そして、システムコントローラＡ ６は、USB IFＡ ５及びUSB IFＢ １０を通じて周知の方法によりＤＶＤドライブ２に対し各種のコマンドを送信し、ＤＶＤドライブ２を制御すると共に、ＤＶＤドライブ２に関する情報を取得することができる。
【００２５】
ユーザからの操作によりビデオカメラ１に対してダビングモードの指示があると、図２のフローが開始する。
Ｓ１０１において、システムコントローラＡ ６は、USB IFＡ ５を通じてＤＶＤドライブ２の接続を検出すると、ＤＶＤドライブ２に関する情報を取得するコマンドをＤＶＤドライブ２に送信する。なお、以下の説明において、ＤＶＤドライブ２からの情報取得やＤＶＤドライブ２の制御は、特に異なる説明がない限り、システムコントローラＡ ６からのコマンド送信によって実現されるものとする。
【００２６】
ＤＶＤドライブ２のシステムコントローラＢ １１は、このコマンドに応答して、ＤＶＤドライブ２に関する情報を返送する。そして、システムコントローラＡ ６は、返送された情報に基づき、ＤＶＤドライブ２にＤＶＤメディア４が装着されているか否かを検出する（Ｓ１０２）。
【００２７】
ＤＶＤメディア４が装着されていないことが検出された場合、システムコントローラＡ ６は、ＤＶＤメディア４の装着を促すメッセージを、Ｓ１０５にて表示や音声にてユーザへ通知しても良い。ユーザがダビング作業の実行をキャンセルした場合には、ダビング処理を終了する。キャンセル操作は不図示の操作キーやワイヤレスリモコンなどで入力し、システムコントローラＡ ６または、システムコントローラＢ １１が受け付ける。
【００２８】
ダビングのキャンセル指示が入力されるか、ＤＶＤメディア４の装着が確認されるまで、システムコントローラＡ ６はＳ１０２及びＳ１０５の処理を繰り返し行う。
Ｓ１０２で、ＤＶＤメディア４が装着されていることが検出された場合、システムコントローラＡ ６は、さらに、挿入されているＤＶＤメディア４のメディアＩＤ１６をＤＶＤドライブ２から取得する（Ｓ１０３）。
【００２９】
Ｓ１０４において、システムコントローラＡ ６は、Ｓ１０３で取得したメディアＩＤ１６と合致するメディアＩＤ１８が、ＨＤＤ３に記憶されているか否かを確認する。メディアＩＤ１６がＨＤＤ３に記憶されていない場合、現在ＤＶＤドライブ２に装着されているＤＶＤメディア４にダビング中断の履歴がないことを意味する。
【００３０】
この場合、システムコントローラＡ ６は、ダビング対象の映像データ（ダビングデータ）が指定されているかを確認する（Ｓ１０６）。ダビングデータは、ユーザが必要に応じて元の映像データを編集・加工して作成した映像データであってもよい。ＨＤＤ３に記憶された映像データの中からダビングデータを指定する方法に特に制限はなく、例えば映像データの一覧からリモコン等によりユーザが選択、指定する方法であってよい。ダビングデータが指定されていない場合、システムコントローラＡ ６は、図示しない表示部に映像データの一覧を表示するなどして、ユーザに指定させる（Ｓ１０７）。
【００３１】
次に、システムコントローラＡ ６は、ダビングの準備処理を行う（Ｓ２００）。
図３は、図２のＳ２００で行われるダビング準備処理の詳細を示すフローチャートである。
【００３２】
まず、システムコントローラＡ ６は、ダビングデータに消去不可属性を設定する（Ｓ２０１）。そして、システムコントローラＡ ６は、ＤＶＤドライブ２に挿入されたＤＶＤメディア４から取得したメディアＩＤ１６をＨＤＤ３に、メディアＩＤ１８として保存する（Ｓ２０２）。さらに、システムコントローラＡ ６は、転送データの記録最小単位であるクラスタアドレスを示すアドレスカウンタの初期化を行う（Ｓ２０３）。
【００３３】
このようなダビング準備処理が完了すると、システムコントローラＡ ６はダビング処理を開始する（Ｓ５００）。
ダビング処理中にケーブル２０による接続が解除された場合や、ＤＶＤドライブ２またはビデオカメラ１の電源がOFFとなった場合、システムコントローラＡ ６はダビング処理の中断が必要であると判断する（Ｓ１１１）。そして、Ｓ４００においてシステムコントローラＡ ６はダビング中断処理を行う。
【００３４】
指定されたダビングデータの全データをＤＶＤドライブ２へ転送したら、システムコントローラＡ ６はダビング終了処理を実行（Ｓ６００）し、ダビングを終了する。
一方、Ｓ１０４において、ＤＶＤドライブ２へ挿入されているＤＶＤメディア４のメディアＩＤ１６に等しいメディアＩＤ１８がＨＤＤ３に保存されていた場合、そのＤＶＤメディア４に対して行っていたダビング処理が中断されたことを意味する。そのため、システムコントローラＡ ６は、Ｓ３００でダビング再開処理を行った後、Ｓ５００でダビング処理を開始（再開）する。
【００３５】
図４は、図２のＳ５００におけるダビング処理の詳細を示すフローチャートである。
システムコントローラＡ ６は記録再生処理部Ａ ８を用い、アドレスカウンタに従ってダビングデータの再生を行う（Ｓ５０１）。そして、システムコントローラＡ ６は、再生データとアドレス（アドレスカウンタの値）をＤＶＤドライブ２へ送信し（Ｓ５０２）、ＤＶＤドライブ２からの応答であるACKを待つ（Ｓ５０３）。
【００３６】
ＤＶＤドライブ２のシステムコントローラＢ １１は、ビデオカメラ１から受信したデータを、受信したアドレスに従ってＤＶＤメディア４へ記録するよう、記録再生処理部Ｂ １４及びメカ制御部１３を制御する。システムコントローラＢ １１は、１クラスタアドレスに対応するデータの受信が完了した段階で、ビデオカメラ１へACK信号を返す。
【００３７】
ビデオカメラ１のシステムコントローラＡ ６は、Ｓ５０３でACKを確認し、かつ再送要求が無ければ（Ｓ５０５，ＮＯ）、１クラスタアドレス分のデータ送信が成功したものとして、アドレスカウンタを１インクリメントする（Ｓ５０６）。
【００３８】
一方、ＤＶＤドライブ２からのACK応答が一定期間ない場合、システムコントローラＡ ６はタイムアウトと判断し（Ｓ５０４）、現在のアドレスカウンタの値に対応するダビングデータを再送する（Ｓ５０７）。また、ACK応答が一定期間内に確認できた場合も、その後の一定期間内に再送要求があった場合（Ｓ５０５，ＹＥＳ）には、同様にダビングデータの再送を行う（Ｓ５０７）。
以上の処理により、１クラスタアドレス分のダビングデータのダビング処理が終了する。
【００３９】
図５は、図２におけるＳ６００で実行するダビング終了処理の詳細を示すフローチャートである。
Ｓ６０１でシステムコントローラＡ ６は、転送済のダビングデータの消去不可属性をクリアし、消去可能とする。また、Ｓ６０２でシステムコントローラＡ ６は、バックアップ済みのメディアＩＤ１８をＨＤＤ３から消去する。
このように、あるＤＶＤメディア４に対して正常にダビング処理が終了した場合、どのＤＶＤメディア４のメディアＩＤ１８はＨＤＤ３に残らない。
【００４０】
図６は、図２におけるＳ４００で実行するダビング中断処理の詳細を示すフローチャートである。
Ｓ４０１でシステムコントローラＡ ６は、ＨＤＤ３からのダビングデータの再生を停止させる。そして、ダビングが中断したことを、図示しない表示部に傾向メッセージを表示するなどしてユーザに通知する。
【００４１】
Ｓ４０２でシステムコントローラＡ ６は、中断と判断された時点でのアドレスカウンタの値を、ダビングが終わっている部分（またはダビング処理中に再生を停止した位置）を特定する進捗状況情報としてＨＤＤ３に保存する。また、ダビングデータを特定する情報をデータ情報としてＨＤＤ３に保存する。進捗状況情報とデータ情報は、バックアップ情報１９を構成する。
これにより、メディアＩＤ１８と、対応するバックアップ情報１９とからなるダビング中断履歴がＨＤＤ３に保存される。ダビング中断履歴は、ＨＤＤ３に複数組保存されうる。
【００４２】
図７は、図２におけるＳ３００で実行するダビング再開処理の詳細を示すフローチャートである。
まず、システムコントローラＡ ６は、ＨＤＤ３に保存されたダビング中断履歴から、Ｓ１０４で検出されたメディアＩＤ１８に対応付けられたアドレスカウンタの値と、ダビングデータを特定する情報を取得する（Ｓ３０１）。
【００４３】
次にシステムコントローラＡ ６は、中断されたダビング処理でダビングされていたダビングデータのうち、転送済みと判断される範囲について、ＤＶＤドライブ２に現在装着されているＤＶＤメディア４に実際に記録されているか確認する（Ｓ３０２）。この整合性の確認は、例えば、Ｓ３０１で取得したダビングデータを特定する情報を用い、システムコントローラＡ ６からＤＶＤドライブ２に対し、該当するダビングデータの書き込みがどのアドレスまで終わっているかを問い合わせる。そして、返送された最終書き込みアドレスと、Ｓ３０１で取得したアドレスカウンタ値とが合致すれば整合性があると判定することができる。
【００４４】
次に、システムコントローラＡ ６は、ＨＤＤ３に保存されているダビング中断履歴から、現在ＤＶＤドライブ２に装着されているＤＶＤメディア４のメディアＩＤ１６に対応する履歴を削除する（Ｓ３０３）。
【００４５】
また、システムコントローラＡ ６は、ダビング中断の履歴がある記録媒体がＤＶＤドライブ２に挿入されたため、中断されたダビング処理を再開する旨を、ユーザへ通知する（Ｓ３０４）。通知は、メッセージを不図示の表示装置に表示したり、図示しない音声出力装置から音声で出力することによって行うことができる。
【００４６】
なお、本実施形態においては、ダビング準備処理でダビングデータに消去不可属性を設定し、ダビング終了処理でダビングデータの消去不可属性をクリアしているため、ダビング処理が中断された場合、ダビングデータの消去不可属性は設定されたままである。
そのため、ダビングを中断した際の記録媒体を万が一紛失してしまった場合、ダビングデータの消去不可属性がクリアされないままになってしまう。
【００４７】
このような場合にも、通常のデータ消去以外の手法や、確認メッセージを出力して、ユーザに確認を促す手法を用いることで、ユーザが希望すればダビングデータを消去できるようにすることが好ましい。
【００４８】
ただし、ダビングを中断した場合のメディアＩＤは保存しておき、仮にダビングを中断した記録先の記録媒体が装着された場合、Ｓ１０４において、ダビングデータは消去された旨のメッセージを出力すると、尚良い。以上の様に制御することで、ＨＤＤ３の記憶領域を無駄にしてしまう事も無く、ユーザは、ダビングを中断した記録媒体へのダビングを完了することができないことを知ることができる。
【００４９】
以上説明したように、本実施形態によれば、ダビング先の記録媒体に記録されている固有情報を取得し、ダビング処理が中断された場合には、どのデータをどこまで記録したかを示す情報を記録媒体の固有情報に対応付けてダビング中断履歴として記憶する。そのため、ダビング先の記録媒体から取得した固有情報がダビング中断履歴に含まれていれば、対応する情報を用いてダビング処理を再開することができる。
【００５０】
（第２の実施形態）
図８は、本発明の第２の実施形態に係る映像再生装置の一例としてのビデオカメラ１’と、外部記録装置の一例としてのＤＶＤドライブ２’とからなるダビングシステムの構成例を示すブロック図である。
【００５１】
図８において、第１の実施形態と同様の構成については、図１と同じ参照数字を付し、重複する説明を省略する。
図１と図８との比較からわかるように、本実施形態においては、ビデオカメラ１’とＤＶＤドライブ２’がLAN IFＡ ２４とLAN IFＢ ２２を通じて接続されること、ビデオカメラ１’が不揮発性メモリ２６を有する点で第１の実施形態と異なる。
【００５２】
本実施形態において、ダビング中断履歴を構成するメディアＩＤ１８とバックアップ情報１９は、ＨＤＤ３でなく不揮発性メモリ２６に保存される。不揮発性メモリ２６には、ダビング中断履歴を複数保存することが可能である。
【００５３】
ビデオカメラ１’とＤＶＤドライブ２’との間の通信や、ＤＶＤドライブ２’におけるデータ記録動作は、インタフェースがUSB IFからLAN IFに変更され、ケーブル２５の種類が変更されたこと以外第１の実施形態と共通である。
【００５４】
ビデオカメラ１’のLAN IFＡ ２４には、IFの固有情報として、MACアドレス（Media Access Control Address）２３が記録されている。図示しないが、ＤＶＤドライブ２’のLAN IFＢ ２２にもMACアドレスが記録されている。
【００５５】
図９は、本実施形態のビデオカメラ１’における、ダビング作業時の動作を説明するフローチャートである。
この動作は、システムコントローラＡ ６が、予め記憶された制御プログラムを実行してビデオカメラ１の各部を制御することによって実現される。なお、図９において、図２と同様の動作ステップには同じ参照数字を付し、重複する説明を省略する。
【００５６】
Ｓ１０２において、記録媒体（ＤＶＤメディア４）の存在が確認できると、システムコントローラＡ ６は、メディアＩＤを取得する（Ｓ１０３）。
Ｓ９０１において、システムコントローラＡ ６は、ＤＶＤメディア４からメディアＩＤ１６が取得できたか確認する。ここで、メディアＩＤ１６が取得できれば、Ｓ１０４以降の処理を第１の実施形態と同様に実行する。
【００５７】
一方、ＤＶＤメディア４が、例えば著作権保護非対応の記録媒体である場合など、メディアＩＤ１６が取得できない場合、システムコントローラＡ ６は、Ｓ９０３〜Ｓ９０５において、メディアＩＤに代わる代替固有情報を作成してＤＶＤメディア４に記録する。
【００５８】
Ｓ９０２でシステムコントローラＡ ６は、ＤＶＤメディア４のボリュームラベルが、LAN IFＡ２４のMACアドレス２３（又はLAN IFＢ２２のMACアドレス）を含むか否かを判別する。そして、ＤＶＤメディア４がMACアドレスを含んだボリュームラベルを有することが判別された場合には、過去にダビング処理に用いられたメディアであると考えられるため、システムコントローラＡ ６はＳ１０４でダビング中断履歴との照合を行う。また、ＤＶＤメディア４がMACアドレスを含んだボリュームラベルを有さないと判別された場合、そのメディアが初めて用いられるものと考えられるため、システムコントローラＡ ６は以下のようにして代替固有情報を生成、記録する。
【００５９】
Ｓ９０３でシステムコントローラＡ ６は、LAN IFＡ２４のMACアドレス２３を取得する。なお、LAN IFＢ２２のMACアドレスを取得しても良い。
【００６０】
そして、Ｓ９０４でシステムコントローラＡ ６は、取得したMACアドレスを用いて、ＤＶＤメディア４に割り当てる固有情報（メディアＩＤ）を生成する。例えば、MACアドレスの下位に所定桁数の通し番号を付加した値を、メディアごとに異なる代替固有情報として生成することができる。
【００６１】
Ｓ９０５でシステムコントローラＡ ６は、生成した代替固有情報をＤＶＤドライブ２’へ送信し、ボリュームラベルとしてＤＶＤメディア４に記録するよう指示する。
システムコントローラＡ ６は、ここで作成した代替固有情報を、メディアＩＤ１８と同様に取り扱う。従って、ダビング処理が中断された場合には、バックアップ情報１９と対応付け、ダビング中断履歴として不揮発性メモリ２６へ保存する。
【００６２】
また、Ｓ９０２からＳ１０４に移行した場合は、ＤＶＤメディア４のボリュームラベルをメディアＩＤ１６の代わりに用いて不揮発性メモリ２６内のダビング中断履歴有無を調べる。
Ｓ１０４及びＳ１０６以降の処理は、第１の実施形態と同様であるため、説明を省略する。
【００６３】
以上、本実施形態によれば、記録媒体に固有情報が記録されていない場合、代替固有情報を生成し、記録媒体のボリュームラベルとして用いることで、固有情報が記録されていない記録媒体についても、第１の実施形態と同様の効果を得ることができる。
【００６４】
なお、第１、第２の実施形態では、ビデオカメラ１とＤＶＤドライブ２を接続し、ＨっＤ３に記録された映像データをＤＶＤドライブ２に装着されたＤＶＤ４にダビングする構成について説明した。
しかし、ＤＶＤドライブ以外の外部記録装置を用いることも可能である。
即ち、交換可能なＤＶＤメディアではなく、ビデオカメラ１と同様にＨＤＤを内蔵した外部記録装置に対してＨＤＤ３の映像データをダビングする構成としてもよい。
その場合、第２の実施形態と同様に、外部記録装置におけるLAN I/Fが保持するＭＡＣアドレスを用いて固有情報を生成することができる。
【００６５】
（他の実施形態）
なお、前述の各実施形態では、映像再生装置と、ダビング先の記録装置とが個別の装置である、すなわち、ダビング先の記録装置が外部記録装置である場合について説明した。しかし、これらは同一筐体内に組み込まれていても良い。
【図面の簡単な説明】
【００６６】
【図１】本発明の第１の実施形態に係る映像再生装置の一例としてのビデオカメラと、外部記録装置の一例としてのＤＶＤドライブとからなるダビングシステムの構成例を示すブロック図である。
【図２】本発明の第１の実施形態に係るビデオカメラにおける、ダビング作業時の動作を説明するフローチャートである。
【図３】本発明の実施形態に係るビデオカメラにおける、ダビング準備処理の詳細を示すフローチャートである。
【図４】本発明の実施形態に係るビデオカメラにおける、ダビング処理の詳細を示すフローチャートである。
【図５】本発明の実施形態に係るビデオカメラにおける、ダビング終了処理の詳細を示すフローチャートである。
【図６】本発明の実施形態に係るビデオカメラにおける、ダビング中断処理の詳細を示すフローチャートである。
【図７】本発明の実施形態に係るビデオカメラにおける、ダビング再開処理の詳細を示すフローチャートである。
【図８】本発明の第２の実施形態に係る映像再生装置の一例としてのビデオカメラと、外部記録装置の一例としてのＤＶＤドライブとからなるダビングシステムの構成例を示すブロック図である。
【図９】本発明の第２の実施形態に係るビデオカメラにおける、ダビング作業時の動作を説明するフローチャートである。
【図１】
2009141628.tif 000003
【図２】
2009141628.tif 000004
【図３】
2009141628.tif 000005
【図４】
2009141628.tif 000006
【図５】
2009141628.tif 000007
【図６】
2009141628.tif 000008
【図７】
2009141628.tif 000009
【図８】
2009141628.tif 000010
【図９】
2009141628.tif 000011